(57)【要約】      （修正有）【課題】  簡単な管理により安定した品質で生産することができ、生産後の輸送や、現像装置にトナーを補給した後の回収時においてもトナーの漏れがないトナーカートリッジを提供する。【解決手段】  トナーを収容する瓶状のトナー貯蔵部１と、現像装置に対して着脱が可能となった取付基部２とを有し、トナー貯蔵部の筒状となったトナー排出部１１を取付基部に設けられた筒状の接合部２１にねじ込んで接合する。この接合部分では、弾性体リング２５を介挿し、トナー排出部１１の軸線方向に圧縮する。また、トナー排出部は、接合部の内周面との間隙が小さくなるように高精度で製作され、取付基部とトナー貯蔵部との相対変位を小さく抑え、弾性体リングの圧縮変形を維持する。取付基部の、現像装置と対向する取付面には、トナー供給口３を開閉するシャッター２３を設け、取付面に貼着した弾性体シール３１に圧接した状態で摺動するものとする。【選択図】  図６
2006243383.tif 000002
【特許請求の範囲】
【請求項１】
粉体のトナーを収容し、静電電位の差による潜像にトナーを転移して可視像とする現像装置に装着されて、前記トナーを該現像装置に供給するトナーカートリッジであって、
トナーを収容する容器状のトナー貯蔵部と、
該トナー貯蔵部と接合され、前記現像装置に対して着脱が可能となった取付基部とを有し、
前記取付基部は、前記トナー貯蔵部と接合される筒状の接合部を備え、
前記トナー貯蔵部は、ほぼ筒状となったトナー排出部を、前記接合部の内側にねじ込んで接合されており、
前記接合部の内側に設けられ、該接合部の軸線とほぼ直角方向の環状面と、前記とトナー排出部の外側へ張り出すように設けられた第１のフランジ部とが対向し、
これらの間に弾性体リングが介挿されて、筒状となった前記トナー排出部と前記接合部との軸線方向に圧縮されていることを特徴とするトナーカートリッジ。
【請求項２】
前記トナー排出部の外側であって、開口に対して前記第１のフランジ部より後方の位置に第２のフランジ部が設けられ、
この第２のフランジ部と前記接合部の内周面との間隙及び前記トナー排出部の先端部分と前記接合部の内周面との間隙は、該間隙によって前記接合部の軸線と前記トナー排出部の軸線との間に角度変化が生じたときに、前記環状面と前記第１のフランジ部との間隔の変化が、前記弾性体リングに予め生じている圧縮変形量より小さくなるように設定されていることを特徴とする請求項１に記載のトナーカートリッジ。
【請求項３】
前記弾性体リングの厚さは、２．５ｍｍ〜３．５ｍｍであり、前記環状面と前記第１のフランジ部との間に介挿されたときの圧縮変形量が１ｍｍ〜２ｍｍであることを特徴とする請求項２に記載のトナーカートリッジ。
【請求項４】
粉体のトナーを収容し、静電電位の差による潜像にトナーを転移して可視像とする現像装置に装着されて、前記トナーを該現像装置に供給するトナーカートリッジであって、
トナーを収容する容器状のトナー貯蔵部と、
該トナー貯蔵部と接合され、前記現像装置に対して着脱が可能となった取付基部とを有し、
前記トナー貯蔵部は、下方に向けて開口を有する筒状のトナー排出部が前記取付基部に接合されており、
該トナー貯蔵部内の断面積が、前記トナー排出部に向かって徐々に縮小されるとともに、トナー排出部に向かって一旦断面を拡大し、その下方で再び断面積が縮小される段差部が設けられていることを特徴とするトナーカートリッジ。
【請求項５】
粉体のトナーを収容し、静電電位の差による潜像にトナーを転移して可視像とする現像装置に装着されて、前記トナーを該現像装置に供給するトナーカートリッジであって、
トナーを収容する容器状のトナー貯蔵部と、
該トナー貯蔵部と接合され、前記現像装置に対して着脱が可能となった取付基部と、
前記取付基部の、前記現像装置のトナー受入口と対向する取付面に支持され、該取付面と平行に移動して該取付基部に設けられたトナー供給口を開閉するシャッターとを有し、
前記取付面には、前記トナー供給口の周りを囲むように弾性体シールが貼着されており、
前記シャッターは、前記弾性体シールに圧接された状態で摺動するものであることを特徴とするトナーカートリッジ。
【請求項６】
前記シャッターは、前記トナー供給口を閉鎖した状態で前記弾性体シールと当接する部分に、前記トナー供給口の周りを囲むように連続した凸状部を有することを特徴とする請求項５に記載のトナーカートリッジ。
【請求項７】
前記弾性体シールは、前記取付面に形成されたトナー供給口の周縁より１ｍｍ以上外側に離れた位置に貼着されていることを特徴とする請求項５に記載のトナーカートリッジ。
【請求項８】
前記弾性体シールの厚さが、１ｍｍ〜３ｍｍであり、前記シャッターが圧接された時の圧縮変形量が０．２ｍｍ〜１．０ｍｍであることを特徴とする請求項５に記載のトナーカートリッジ。
【発明の詳細な説明】
【技術分野】
【０００１】
本発明は、粉体のトナーを使用して静電潜像を可視化する現像装置に、トナーの補給を行うトナーカートリッジに関するものである。
【背景技術】
【０００２】
電子写真式の画像形成装置には、静電電位の差による潜像にトナーを転移して可視像を形成する現像装置を設けられている。現像装置は、一般に、潜像が形成される像担持体と対向する位置に、無端状の周面を有する現像部材を備えており、この現像部材に隣接するように現像剤収容室が設けられる。そして、トナーがこの現像剤収容室から現像部材に供給され、周面が移動することによって現像領域に搬送される。現像領域で繰り返し現像が行われると現像剤収容室内のトナーが消費され、収容されているトナー量が減少し、新たなトナーの補給が必要になる。トナーを補給する方法としては、トナーを収容したトナーカートリッジを現像装置に装着し、このトナーカートリッジから現像剤収容室内にトナーを供給することが広く行われている。
【０００３】
トナーカートリッジは、補給用のトナーを収容して密閉されたものであり、現像装置に装着したときには、簡単に開封して円滑にトナーを現像装置に供給できることが求められる。また、トナーカートリッジを製造した後の輸送中における不適正な取り扱いや床面に落下させるような事態等があっても、トナーが漏れだして散乱することがないように高い密閉性が要求される。また、トナーの補給後は、トナーカートリッジを現像装置から取り外したときに、トナーカートリッジの供給口や内面に付着している僅かの残留トナー等も散逸しないように処理できることが要求される。
【０００４】
このように用いられるトナーカートリッジとして、従来から広く用いられているものに、特許文献１に記載されるものがある。このトナーカートリッジは、図１１に示すように、トナー収容容器本体４１が厚紙又は合成樹脂で形成されており、その上部は金属からなる頂板４２によって密閉されている。また、下端部は合成樹脂からなる口金部材４３が接合されている。口金部材４３にはトナーを排出するための開口４６が設けられており、この口金部材４３の外面には、シール用フィルム４４が貼り付けられている。このシール用フィルム４４は、合成樹脂又は金属泊等からなるものであり、上記開口の周囲に加熱溶融した接着剤を塗布して貼着されている（ヒートシール）。また、この開口４６の外側には、開口面とほぼ並行に摺動可能となった開口蓋４５を備えており、この開口蓋４５の先端部４５ａにシール用フィルム４４が係止されている。これにより、開口蓋４５を図１１中に示す矢印Ａの方向へ移動するのにともなって、シール用フィルム４４が開口の周りから引き剥がされ、開口４６が開放されてカートリッジ内に収容されているトナー４７が現像装置に投入されるものとなっている。トナーを補給した後は再び開口蓋４５を閉じてこのカートリッジを現像装置から取り外す。
【特許文献１】特項平８−１０３７３号公報
【発明の開示】
【発明が解決しようとする課題】
【０００５】
しかしながら、上記のような従来のトナーカートリッジでは、次のような改良が望まれる課題がある。
上記のように開口を密閉するシール用フィルムを加熱溶融した接着剤で貼り付ける作業は、接着剤の量等に十分な管理が必要となる。つまり、接着剤の量が少ないと、シール用フィルムが剥がれやすくなり、トナーの漏れが生じる。また、トナーカートリッジの輸送中などで、上記のようなトナーカートリッジを落としたり、大きな衝撃が作用したときに、接着剤の量が不足しているとシール用フィルムが剥がれ、トナーが飛散する可能性がある。また、接着剤の量が多すぎると、接着領域からはみ出して外観が悪くなってしまう。
このように接着剤を加熱溶融してシール用フィルムを接着する場合には、品質の安定性、生産の安定性を確保するために作業工程や作業条件の厳格な管理が必要となっている。
【０００６】
また、従来のトナーカートリッジでは、トナーを現像装置に補給した後、開口蓋を閉じても、シール用フィルムが剥がされているので、隙間から残留トナーが漏れることがある。
【０００７】
本発明は、このような事情に鑑みてなされたものであり、その目的は、簡単な管理によって安定した品質で生産することができ、生産後の輸送過程や、現像装置にトナーを補給した後に空となったものを回収する過程においてもトナーの漏れがないトナーカートリッジを提供することである。
【課題を解決するための手段】
【０００８】
本発明は、上記のような課題を解決するために、  粉体のトナーを収容し、静電電位の差による潜像にトナーを転移して可視像とする現像装置に装着されて、前記トナーを該現像装置に供給するトナーカートリッジであって、  トナーを収容する容器状のトナー貯蔵部と、  該トナー貯蔵部と接合され、前記現像装置に対して着脱が可能となった取付基部とを有し、  前記取付基部は、前記トナー貯蔵部と接合される筒状の接合部を備え、  前記トナー貯蔵部は、ほぼ筒状となったトナー排出部を、前記接合部の内側にねじ込んで接合されており、  前記接合部の内側に設けられ、該接合部の軸線とほぼ直角方向の環状面と、前記と排出部の外側へ張り出すように設けられた第１のフランジ部とが対向し、  これらの間に弾性体リングが介挿されて、筒状となった前記トナー排出部と前記接合部との軸線方向に圧縮されているトナーカートリッジを提供するものである。
【０００９】
上記のように、現像装置に装着される取付基部にトナー貯蔵部をねじ込むことによって、これらを簡単に接合することができる。そして、接合部分におけるこれらの間には圧縮された弾性体リングが介挿されているので、取付基部とトナー貯蔵部とは密閉された状態で接合され、これらの接合部分からトナーが漏出することはない。
【００１０】
また、トナー排出部の先端部分とこれより後方に設けられた第２のフランジ部とは、取付基部の内周面との間隙が小さくなるように高精度で製作されている。そして、これらの間隙によって、取付基部とトナー貯蔵部との軸線が折れ曲がるように相対変位が生じても、弾性体リングは、全周にわたって圧縮変形が生じた状態に維持され、トナー貯蔵部が備えるの第１のフランジ部及び取付基部が備える環状面とに密着してトナーの漏洩を有効に防止する。
【００１１】
上記弾性体リングは、厚さを２．５ｍｍ〜３．５ｍｍとし、前記環状面と前記第１のフランジ部との間に介挿されたときの圧縮変形量を１ｍｍ〜２ｍｍとすることにより、一般的に合成樹脂等でトナー貯蔵部と取付基部とを製作したときの精度で、弾性体リングの圧縮変形量を維持することができ、有効にトナーの漏洩を防止することができる。
【００１２】
一方、前記トナー貯蔵部は、下方に向けて開口を有するものとし、このトナー貯蔵部内の断面積が、上記開口に向かって徐々に縮小されるとともに、急に断面が一旦拡大し、その下方で再び断面積が縮小されるように段差部を設ける。これにより、トナー貯蔵部内に収容されているトナーが重力によって開口から排出されるときに、断面が縮小していても段差部で一旦トナーとトナー貯蔵部の内周面との接触が断ち切られ、開口付近でトナーの流れが滞ることなく、円滑に流下する。つまり、断面が縮小している部分で横方向にトナーが圧縮されるのが防止され、円滑な流下が確保される。
また、トナー貯蔵部内の断面が開口に向かって徐々に縮小しているので、トナーカートリッジを落としたときにも、大きな衝撃が開口を閉鎖している部材に直接作用することもない。
【００１３】
取付基部の、現像装置のトナー受入口と対向する取付面には、この取付面と平行に移動して取付基部に設けられたトナー供給口を開閉するシャッターを有するものとし、取付面には、前記トナー供給口の周りを囲むように弾性体シールを貼着する。そして、シャッターは、前記弾性体シールに圧接された状態で摺動するものとする。
【００１４】
このようにシャッターと取付面との間が弾性体シールによって密閉され、これらの間からトナーが漏出するのが防止される。そして、シャッターは弾性体シールに圧接された状態で摺動可能となっており、トナーを排出して現像装置に供給するときには、シャッターを移動してトナー供給口を開放し、トナーを現像装置に落とし込むことができる。
また、トナーの供給が終了した後は、シャッターを移動してトナー供給口を覆うように閉鎖すると、再びトナー供給口の周りに設けられた弾性体シールとシャッターとは圧接された状態となり、トナー供給口及びその周辺部を覆い、僅かに残留しているトナーが散逸するのを防止することが可能となる。
【００１５】
上記シャッターは、トナー供給口を閉鎖した状態で弾性体シールと当接する部分に、トナー供給口の周りを囲むように連続した凸状部を形成しておくのが望ましい。
このような凸状部は、弾性体シールと当接されて、弾性体シールに押し込まれる。そして、この部分では当接圧が大きくなっており、シャッターと弾性体シールとの間に隙間が生じるのが防止される。したがって、トナーの漏洩が確実に抑止される。
【００１６】
さらに、弾性体シールは、取付面に形成されたトナー供給口の周縁より１ｍｍ以上外側に離れた位置に貼着する。
このように弾性体シールを貼り付けることにより、トナー供給口よりトナーが落下して現像装置に供給されるときにトナーは弾性体シールに接触することがなく、弾性体シールにトナーが付着するのが防止される。したがって、トナーの供給後にシャッターを閉鎖すると、トナー供給口付近に付着している僅かのトナーも、シャッターによって完全に封じ込められ、空になったカートリッジを回収し、処理を行うまでにトナーが漏れ出すことがなくなる。
【００１７】
上記弾性体シールは、厚さが１ｍｍ〜３ｍｍであり、シャッターが圧接された時の圧縮変形量が０．２ｍｍ〜１．０ｍｍであるものを用いることができる。
上記のように圧縮変形が生じていることによって、シャッターに押圧された部分からトナーが漏れ出すのを有効に防止することができるとともに、シャッターを摺動するときの抵抗も過大とはならず、円滑にシャッターを開閉してトナーの供給動作を行うことができる。
【発明の効果】
【００１８】
以上説明したように、本発明のトナーカートリッジでは、トナーを収容するトナー貯蔵部と、現像装置に装着してトナーを放出することができるようになった取付基部との接合が、簡単な構造で大きな衝撃が作用したときにもトナーの漏れが生じないものとなる。
また、トナー貯蔵部は、トナーを現像装置に供給するときには開口に向かってトナーを円滑に排出することが可能であるとともに、トナーカートリッジを落としたときには、トナー供給口を閉鎖する部材に大きな衝撃が作用するのを防止することができる。
さらに、現像装置への取付面に形成されたトナー供給口は、シャッターによって容易に開閉が可能であるとともに、閉鎖時にはトナーの漏れがなく、さらにトナーを現像装置に供給した後も、残留する僅かのトナーが外部に漏れるのを防止することができる。
【発明を実施するための最良の形態】
【００１９】
以下、本発明の実施の形態を図に基づいて説明する。
図１は、本発明の一実施形態であるトナーカートリッジの概略側面図であり、図２は断面図である。
このトナーカートリッジは、トナーが収容されるトナー貯蔵部１と、このトナー貯蔵部１と接合された取付基部２とで主要部が構成されており、取付基部２には、現像装置に装着してトナーを現像装置内に供給するためのトナー供給口３が設けられている。
【００２０】
上記トナー貯蔵部１は、ポリエチレンテレフタレート（ＰＥＴ）等の合成樹脂で形成されたものであり、瓶状の容器となっている。そして、トナー排出部１１は筒状になっており、このトナー排出部が取付基部と接合される。
【００２１】
上記トナー排出部に向かって形成されている側面１２は、トナー貯蔵部内の空間の断面積が徐々に狭くなるように傾斜しており、円形断面となった開口に連続している。内部の空間の断面が徐々に狭くなる領域では、側面が傾斜して設けられているが、開口に向かって連続した傾斜面ではなく、一旦断面が僅かに拡大した部分１３が設けられ、その開口側では再び断面が徐々に狭くなるように傾斜した側面を有するものとなっている。このような傾斜部の段差は、開口に向かって複数が設けられており、この段差によってトナーの流下が円滑に生じるようになっている。
【００２２】
トナー排出部１１は、図３に拡大図を示すように、外周面の開口に近い位置に第１のフランジ部１４を有し、この第１のフランジ部１４より上方つまり開口１６から離れた位置に第２のフランジ部１５を備えている。
第１のフランジ部１４の開口側の面は、全周にわたって連続し、このトナー排出部１１の軸線とほぼ直角となった環状の面となっている。そして、周方向の２カ所には、張り出し長が一部で大きくなった係合部１７となっており、この部分の上面が緩やかに傾斜している。この傾斜面は、取付基部２に設けられた突状部２６と係合し、トナー排出部１を取付基部２に締め付けるように機能するものである。
第２のフランジ部１５は、全周にわたってほぼ同一の張り出し長を有するものとなっており、その直径が正確な寸法に設定されている。
【００２３】
一方、上記取付基部２は、図４及び図５に断面形状を示すように、円筒状となった接合部２１と、この接合部の軸線と直角方向の板状部２２とが一体に形成されている。そして、接合部２１には、トナー貯蔵部１に設けられたトナー排出部１１がねじ込むように接合され、板状部２２は現像装置のトナー受入口と対向するように装着することができるものとなっている。また、板状部２２の下面には、シャッター２３が開閉可能に取り付けられており、現像装置へトナーを供給する時にこのシャッター２３を開放し、供給後にはシャッター２３を閉鎖して、トナーカートリッジを取り外すものとなっている。
【００２４】
接合部２１の内側には、上端縁２１ａより所定の深さの位置に、全周にわたって連続した縮径部２４を有しており、その上面は半径方向に２段に分割されている。この内側の環状となった平面２４ａ（環状面）が、トナー排出部１１に設けられた第１のフランジ部１４の下面と対向するようになっている。そして、この環状面２４ａの上に柔軟に変形する弾性体リング２５が貼着される（図６参照）。この弾性体リング２５は、柔軟な合成樹脂で形成されており、厚さが２．５〜５ｍｍ程度のものが用いられる。この実施形態では厚さが３ｍｍとなっている。
また、上記縮径部２４が設けられた位置の上方には、互いに対向する２箇所に、周方向に所定の長さの突状部２６が設けられている。この突状部２６の下面は、周方向に緩い傾斜を有しており、上記トナー貯蔵部１に設けられた第１のフランジ部１４から一部が突き出した係合部１７と、係合されるものである。
【００２５】
図６は、トナー貯蔵部１と取付基部２とを接合した状態を示す断面図であり、この図に示すようにトナー排出部１１が取付基部２の接合部２１に挿入され、トナー貯蔵部１が軸線周りに回転される。これにより、第１のフランジ部１４から張り出した係合部１７の上面が、突状部２６の下面に係合され、双方の傾斜面が競り合わされる。したがって、トナー貯蔵部１は接合部２１内に押し入れられ、双方がしっかりと接合されるものである。また、第１のフランジ部は環状面２４ａ側に押し付けられて弾性体リング２５を圧縮し、変形を生じさせるものとなっている。このときの弾性体リング２５の圧縮変形量は１〜２ｍｍ程度が望ましく、この実施の形態では１．５ｍｍに設定されている。
【００２６】
さらに、トナー貯蔵部１のトナー排出部１１における外周面には、突起状のストッパー（図示しない）が設けられている。このストッパーは、トナー排出部１１が取付基部２の接合部２１にねじ込まれたときにその内周面に当接して弾性変形が生じるとともに、所定の位置で係止孔（図示しない）に嵌め入れられて弾性変形が解放されるようになっている。これにより、トナー貯蔵部１の取付基部２に対する逆回転が拘束され、双方のねじ込みによる接合がはずれないようになっている。
【００２７】
上記接合部２１が板状部２２に取り付けられた部分の内側では、板状部が２２開放されてトナー供給口３が設けられている。したがって、トナー貯蔵部１の開口から接合部２１内に落とし込まれたトナーは、シャッター２３の開閉によりトナー供給口３から現像装置のトナー受入口へ送り込まれる。
【００２８】
上記板状部２２には、側縁に沿って下方への垂下部２２ａが設けられており、この垂下部の内側面には、図５及び図７に示すように、片側４カ所にシャッター２３のガイド爪２２ｂが設けられている。シャッター２３はこのガイド爪２２ｂに係止され、水平方向つまり板状部２２の取付面２２ｃに沿って移動可能に設けられている。
また、板状部２２の取付面２２ｃには、トナー供給口３の周りを囲むように弾性体シール３１が貼り付けられている。この弾性体シール３１は、トナー供給口３の周縁より約１ｍｍ以上外側に離れた位置に設けられている。そして、シャッター２３はこの弾性体シール３１に押し付けられた状態でガイド爪２２ｂに係止されており、弾性体シール３１に圧縮変形が生じた状態で摺動するものとなっている。
【００２９】
上記弾性体シール３１は、厚さが１〜３ｍｍ程度のものが用いられ、シャッター２３が圧接されているときの圧縮変形量が０．２〜１．０ｍｍとなるように設定されている。この圧縮変形量は、大きくなると、シャッター２３の移動に対する抵抗力が増大し、開閉を行う操作が困難になる。また、圧縮変形量が少ないとトナーが漏れる可能性が高まる。したがって、これらの双方の条件を満たすように設定されるものである。
【００３０】
また、シャッター２３が閉じているときに、このシャッター２３の弾性体シール３１と当接する部分には、図８に示すように、凸状部２３ａが設けられている。この凸状部２３ａは、トナー供給口３を囲むように設けられた弾性体シール３１の全周にわたって連続して設けられており、その高さが０．２〜１．０ｍｍ程度の範囲で設定される。この凸状部２３ａは、弾性体シール３１に押し込まれた状態としてトナーの漏れを防止するものであり、上記高さは、シャッター２３の弾性体シール３１への接触圧すなわち圧縮変形量を考慮して設定されるものである。
【００３１】
上記のようなトナーカートリッジでは、トナー貯蔵部１は合成樹脂で一体成形による製造が可能であり、強度の高いものを安価で簡単に製造することができる。また、トナー排出部１１は取付基部２にねじ込んで簡単に装着することができ、トナー貯蔵部１にトナーを投入した後、簡単な工程でトナーを封入することができる。そして、取付基部２との接合部分は、弾性体リング２５を第１のフランジ部１４と取付基部２の環状面２４ａとの間に挟み込み、圧縮変形が生じた状態となっているので、これらの接合部分からトナーが漏れ出すのを防止することができる。
【００３２】
例えば、想定される過酷な条件として、トナーカートリッジを操作者が誤って床面に落とした場合が考えられ、図９に示すように、板状部２２の先端が床面と衝突する場合を想定することができる。このような条件で衝撃が作用すると、トナー貯蔵部１と取付基部２の筒状となった接合部２１とは、図１０に破線で示すように、これらの軸線に角度が生じるように相対的に変位する。しかし、トナー貯蔵部１の先端部分１１ａは接合部２１の内周面に極小さい間隙をおいて対向しており、これより上部に設けられた第２のフランジ部１５も接合部２１の内周面に微小間隔をおいて対向している。したがって、トナー貯蔵部１と接合部２１との間に折れ曲がるような相対変位が生じても、トナー貯蔵部１の先端部分１１ａと第２のフランジ部１５とによって相対変位角θが小さく抑えられる。したがって、対向する第１のフランジ部１４と取付基部２の環状面２４ａとの間の変位も少なくなり、圧縮されている弾性体リング２５と第１のフランジ部１４との間に隙間を生じるようなことはなく、トナーの漏洩が生じないようになっている。
【００３３】
また、トナー貯蔵部１は取付基部２の接合部２１にねじ込まれたときに、ストッパーが係止孔に嵌め入れられているので、トナー貯蔵部１と取付基部２との間の相対的な回転が拘束され、落下の衝撃等によってこれらの接合がはずれるような事態も生じない。
【００３４】
さらに、落下したときにはトナー貯蔵部１に収容されているトナーの慣性力が取付基部２との接合部や、トナー供給口を閉鎖するシャッター２３に作用することが考えられるが、トナー貯蔵部１は開口に向けて内部空間の断面が徐々に縮小するものとなっているので、これらの傾斜面によってトナーの慣性力が負担され、シャッター２３等に作用する衝撃力が緩和される。したがって、シャッター２３がはずれ落ちたり変形してトナーの漏れを生じることも回避される。
【００３５】
一方、このトナーカートリッジがトナーを収容しているときには、トナー供給口３はシャッター２３によって閉鎖されており、このシャッター２３が弾性体シール３１を介して板状部２２に圧接されているので、この部分からのトナーの漏れも有効に防止される。そして、トナーカートリッジを現像装置に装着して内蔵するトナーを現像装置内に供給するときには、シャッター２３を摺動することによって簡単にトナーを現像装置内に落とし込んで供給することができる。このとき、シャッター２３の弾性体シール３１に対する圧接力が適切に設定されていることにより、シャッター２３の円滑な操作性とトナーの漏れを防止する機能とが両立するものとなる。
【００３６】
また、トナーを現像装置に供給した後は、シャッター２３を移動してトナー供給口３を閉鎖することによってトナーカートリッジを密閉することができ、僅かにトナーが残留していても、これが漏れ出すことはない。また、弾性体シール３１がトナー供給口３より外側に離れて設けられているので、トナーが弾性体シール３１に付着することはなく、シャッター２３を閉じたときにトナーが装置外に飛散したり、シャッター２３の外側に付着して漏洩することもない
【図面の簡単な説明】
【００３７】
【図１】本発明の一実施形態であるトナーカートリッジの概略側面図である。
【図２】図１に示すトナーカートリッジの断面図である。
【図３】図１に示すトナーカートリッジが備えるトナー貯蔵部のトナー排出部を拡大した側面図である。
【図４】図１に示すトナーカートリッジが備える取付基部の断面図である。
【図５】図１に示すトナーカートリッジが備える取付基部の断面図であって、図４中に示すＡ−Ａ線における断面図である。
【図６】図１に示すトナーカートリッジにおけるトナー貯蔵部と取付基部とを接合した部分の拡大断面図でる。
【図７】図１に示すトナーカートリッジが備える取付基部の底面図である。
【図８】シャッターと弾性体シールとが圧接される部分の拡大断面図である。
【図９】図１に示すトナーカートリッジを床面に落としたときに想定される状態を示す概略図である。
【図１０】図９に示す状態で衝撃力が作用したときにおける、トナー貯蔵部と取付基部とが接合された部分の挙動を示す拡大断面図である。
【図１１】従来のトナーカートリッジの概略断面図である。
【符号の説明】
【００３８】
１：トナー貯蔵部、    ２：取付基部、    ３：トナー供給口、
１１：トナー排出部、    １１ａ：トナー貯蔵部の先端部分、    １２：側面、    １３：段差、    １４：第１のフランジ部、    １５：第２のフランジ部、    １６：開口、    １７：係合部、
２１：接合部、    ２２：板状部、    ２２ａ：垂下部、    ２２ｂ：ガイド爪、    ２２ｃ：取付面、    ２３：シャッター、    ２３ａ：凸状部、    ２４：縮径部、    ２４ａ：環状面、    ２５：弾性体リング、    ２６：突状部、
３１：弾性体シール
【図１】
2006243383.tif 000003
【図２】
2006243383.tif 000004
【図３】
2006243383.tif 000005
【図４】
2006243383.tif 000006
【図５】
2006243383.tif 000007
【図６】
2006243383.tif 000008
【図７】
2006243383.tif 000009
【図８】
2006243383.tif 000010
【図９】
2006243383.tif 000011
【図１０】
2006243383.tif 000012
【図１１】
2006243383.tif 000013